(57)【要約】【課題】製造工程をより簡易化できる回転電機のステータを提供する。【解決手段】回転電機のステータは、ステータコアと、前記ステータコアに巻回されるステータコイルと、を有する。前記ステータコイルは、複数のセグメントコイル２２ａ，２２ｂと、その両端に嵌合凹部３６ａ，３６ｂが形成された連結部材２４であって、前記両端の嵌合凹部３６ａ，３６ｂそれぞれに前記セグメントコイル２２ａ，２２ｂが嵌合されることで、前記セグメントコイル２２ａ，２２ｂを連結する連結部材２４と、を備える。【選択図】図５
2019126153.tif 000002
【特許請求の範囲】
【請求項１】
ステータコアと、前記ステータコアに巻回されるステータコイルと、を有した回転電機のステータであって、
前記ステータコイルは、
複数のセグメントコイルと、
その両端に嵌合凹部が形成された連結部材であって、前記両端の嵌合凹部それぞれに前記セグメントコイルが嵌合されることで、前記セグメントコイルを連結する連結部材と、
を備えることを特徴とする回転電機のステータ。
【請求項２】
請求項１に記載の回転電機のステータであって、
前記連結部材は、
導電性材料からなるとともに、連結対象の二つのセグメントコイルが嵌合された本体部と、
前記本体部の外面を被覆する絶縁皮膜と、
を備え、前記本体部が、前記ステータコイルの電流経路の一部を構成する、
ことを特徴とする回転電機のステータ。
【請求項３】
請求項１に記載の回転電機のステータであって、
前記連結部材は、絶縁材料からなるとともに、連結対象の二つのセグメントコイルが嵌合された略筒状の本体部を備え、
前記二つのセグメントコイルは、前記本体部の内部において、互いに接触することで、または、前記本体の内部に収容された導電体を介して、電気的に接続される、
ことを特徴とする回転電機のステータ。
【請求項４】
請求項３に記載の回転電機のステータであって、
前記二つのセグメントコイルは、前記本体部の内部において、導電体を介して、電気的に接続され、
前記導電体は、弾性または流動性を有しており、軸方向寸法が変更可能である、
ことを特徴とする回転電機のステータ。
【請求項５】
請求項１から４のいずれか1項に記載の回転電機のステータであって、
前記セグメントコイルの端部には、コイル皮膜が剥離された剥離部があり、
前記嵌合凹部には、前記剥離部のほぼ全体が収容されている、
ことを特徴とする回転電機のステータ。
【請求項６】
請求項１から５のいずれか１項に記載の回転電機のステータであって、
前記セグメントコイルの端部、および、前記嵌合凹部の少なくとも一方には、他方を誘い込むテーパーが設けられている、ことを特徴とする回転電機のステータ。
【請求項７】
請求項１から６のいずれか１項に記載の回転電機のステータであって、
前記連結部材は、コイル径方向に隣接する他の連結部材と、コイル軸方向位置がずれている、ことを特徴とする回転電機のステータ。
【請求項８】
請求項１から７のいずれか１項に記載の回転電機のステータであって、
前記連結部材の一端の嵌合凹部に第一セグメントコイルが、他端の嵌合凹部に第二セグメントコイルが嵌合されており、
前記第一セグメントコイルと、前記第二セグメントコイルは、断面形状が互いに異なる、
ことを特徴とする回転電機のステータ。
【請求項９】
請求項１から８のいずれか１項に記載の回転電機のステータであって、
前記連結部材の一端の嵌合凹部には、前記ステータコアのスロット内に収容される縦線部を有した第一セグメントコイルが嵌合され、
前記連結部材の他端の嵌合凹部には、前記ステータコアの軸方向外側において周方向に延びてコイルエンドを構成する第二セグメントコイルが嵌合され、
前記第一セグメントコイルおよび前記第二セグメントコイルは、前記スロットの軸方向端部近傍において前記連結部材を介して連結されている、
ことを特徴とする回転電機のステータ。
【請求項１０】
ステータコアに巻回されるステータコイルの製造方法であって、
複数のセグメントコイルを、その両端に嵌合凹部が形成された連結部材を介して連結して前記ステータコイルを形成する連結ステップを備え、
前記連結ステップでは、前記連結部材の両端の嵌合凹部それぞれに前記セグメントコイルの端部を嵌合することで、複数の前記セグメントコイルを連結する、
ことを特徴とするステータコイルの製造方法。
【請求項１１】
請求項１０に記載のステータコイルの製造方法であって、
前記連結部材は、前記連結ステップの前に、その外周面が絶縁処理されている、ことを特徴とするステータコイルの製造方法。
【請求項１２】
請求項１０または１１に記載のステータコイルの製造方法であって、さらに、
前記連結ステップでは、予め最終形状に成形された第一セグメントコイルを、前記ステータコアに組みつけた後に、前記連結部材を介して、予め最終形状に成形された第二セグメントコイルを前記第一セグメントコイルに連結する、ことを特徴とするステータコイルの製造方法。
【請求項１３】
請求項１２に記載のステータコイルの製造方法であって、
前記第一セグメントコイルは、前記ステータコアのスロットに収容される縦線部を有しており、
前記第二セグメントコイルは、前記ステータコアの軸方向外側で周方向に延びてコイルエンドを構成し、
前記連結ステップでは、複数の第一セグメントコイルを前記ステータコアに組み付けた後に、樹脂で一体化された複数の第二セグメントコイルを、一括で、対応する前記第一セグメントコイルに前記連結部材を介して連結する、
ことを特徴とするステータコイルの製造方法。
【請求項１４】
請求項１２または１３に記載のステータコイルの製造方法であって、
前記第一セグメントコイルと前記連結部材との嵌合は、前記第一セグメントコイルを前記ステータコアに組み付けた後に行う、ことを特徴とするステータコイルの製造方法。
【発明の詳細な説明】
【技術分野】
【０００１】
本明細書は、ステータコアと、前記ステータコアに巻回されるステータコイルと、を有した回転電機のステータ、および、ステータコイルの製造方法を開示する。
【背景技術】
【０００２】
回転電機のステータは、一般的に、ステータコアに、ステータコイルを巻回してなる。ステータコイルとしては、複数のセグメントコイルを連結して成るものが知られている。かかるステータコイルを製造する際には、例えば、略Ｕ字状のセグメントコイルを、ステータコアのスロットに挿入し、セグメントコイルのうち、ステータコアの軸方向端面から突出する部分を、周方向に倒して屈曲させる。そして、この屈曲したセグメントコイルの端部を、同様の屈曲された他のセグメントコイルの端部に溶接して接合する。
【先行技術文献】
【特許文献】
【０００３】
【特許文献１】特開２００９−１９４９９９号公報
【発明の概要】
【発明が解決しようとする課題】
【０００４】
しかしながら、こうした技術では、セグメントコイルをステータコアに組み付けた後に、当該セグメントコイルの屈曲や溶接、溶接部分の絶縁処理などが必要であり、製造工程が煩雑であった。
【０００５】
そこで、一部では、セグメントコイルを予め屈曲成形してからステータコアに組み付けることが提案されている。例えば、特許文献１には、予め所望の形状に形成した第１コイルと、第２コイルと、を用意し、この第１コイルの先端と、第２コイルの先端とを突き合わせて接合することで、分布巻き構造の多相の周方向展開コイルを作製し、この周方向展開コイルをステータコアのスロットに順次挿入してステータコイルを製造する技術が開示されている。
【０００６】
かかる技術によれば、セグメントコイルをスロットに挿入した後に、当該セグメントコイルの屈曲や、接合（溶接）といった処理が不要となるため、製造工程をある程度は、簡易化できる。
【０００７】
しかし、特許文献１では、第１コイルの先端と第２コイルの先端とを、直接、接合するために、圧接や超音波接合といった接合法を採用している。しかし、こうした接合法は、大型の設備が必要であり、製造工程を煩雑化していた。
【０００８】
そこで、本明細書では、製造工程をより簡易化できる回転電機のステータ、および、ステータコイルの製造方法を開示する。
【課題を解決するための手段】
【０００９】
本明細書で開示する回転電機のステータは、ステータコアと、前記ステータコアに巻回されるステータコイルと、を有した回転電機のステータであって、前記ステータコイルは、複数のセグメントコイルと、その両端に嵌合凹部が形成された連結部材であって、前記両端の嵌合凹部それぞれに前記セグメントコイルが嵌合されることで、前記セグメントコイルを連結する連結部材と、を備えることを特徴とする。
【００１０】
かかる構成とした場合、セグメントコイルの端部を嵌合凹部に圧入するだけでセグメントコイルを連結できる。換言すれば、セグメントコイルの連結にあたって、溶接や圧接等の処理が不要となる。その結果、大型の設備が不要であり、製造工程をより簡易化できる。
【００１１】
この場合、前記連結部材は、導電性材料からなるとともに、連結対象の二つのセグメントコイルが嵌合された本体部と、前記本体部の外面を被覆する絶縁皮膜と、を備え、前記本体部が、前記ステータコイルの電流経路の一部を構成してもよい。
【００１２】
かかる構成とした場合、二つのセグメントコイルが離間していてもよいため、セグメントコイルの軸方向寸法の誤差を当該連結部材で吸収できる。結果として、セグメントコイルの製造工程を簡易化できる。
【００１３】
別の形態として、前記連結部材は、絶縁材料からなるとともに、連結対象の二つのセグメントコイルが嵌合された略筒状の本体を備え、前記二つのセグメントコイルは、前記本体部の内部において、互いに接触することで、または、前記本体の内部に収容された導電体を介して、電気的に接続されてもよい。
【００１４】
かかる構成とすることで、連結部材本体の材質の選択の幅が広がる。
【００１５】
この場合、前記二つのセグメントコイルは、前記本体部の内部において、導電体を介して、電気的に接続され、前記導電体は、弾性または流動性を有しており、軸方向寸法が変更可能であってもよい。
【００１６】
かかる構成とすることで、セグメントコイルの軸方向寸法の誤差を当該導電体で吸収できる。結果として、セグメントコイルの製造工程を簡易化できる。
【００１７】
また、前記セグメントコイルの端部には、コイル皮膜が剥離された剥離部があり、前記嵌合凹部には、前記剥離部のほぼ全体が収容されていてもよい。
【００１８】
かかる構成とすることで、連結部材でセグメントコイルを連結した後、剥離部の絶縁処理が不要となり、製造工程をより簡易化できる。
【００１９】
前記セグメントコイルの先端、および、前記嵌合凹部の少なくとも一方には、他方を誘い込むテーパーが設けられていてもよい。
【００２０】
かかる構成とすることで、セグメントコイルと連結部材とをより簡易に嵌合でき、製造工程をより簡易化できる。
【００２１】
また、前記連結部材は、コイル径方向に隣接する他の連結部材と、コイル軸方向位置がずれていてもよい。
【００２２】
かかる構成とすることで、コイル間の絶縁を確実に確保できる。すなわち、連結部材の端部とコイル皮膜の端部との間に隙間があると、当該隙間において導線が露出することになるが、上記構成とすることで、当該露出部分と、隣接するコイルの露出部分との距離が長くなり、絶縁が確保される。
【００２３】
また、前記連結部材の一端の嵌合凹部に第一セグメントコイルが、他端の嵌合凹部に第二セグメントコイルが嵌合されており、前記第一セグメントコイルと、前記第二セグメントコイルは、断面形状が互いに異なっていてもよい。
【００２４】
かかる構成とすることで、各セグメントコイルの求められる特性（例えば、線積率向上、あるいは、曲げ性向上等）に応じた断面形状を採用できるため、ステータの性能や品質をより向上できる。
【００２５】
また、前記連結部材の一端の嵌合凹部には、前記ステータコアのスロット内に収容される縦線部を有した第一セグメントコイルが嵌合され、前記連結部材の他端の嵌合凹部には、前記ステータコアの軸方向外側において周方向に延びてコイルエンドを構成する第二セグメントコイルが嵌合され、前記第一セグメントコイルおよび前記第二セグメントコイルは、前記スロットの軸方向端部近傍において前記連結部材を介して連結されていてもよい。
【００２６】
第一、第二セグメントコイルをスロットの軸方向端部近傍において連結する構成とすれば、第一セグメントコイルをコアに組み付けた後も、第一セグメントコイルの端部に容易にアクセスできる。結果として、セグメントコイルの連結作業を容易にできる。
【００２７】
また、本明細書で開示するステータコイルの製造方法は、複数のセグメントコイルを、その両端に嵌合凹部が形成された連結部材を介して連結して前記ステータコイルを形成する連結ステップを備え、前記連結ステップでは、前記連結部材の両端の嵌合凹部それぞれに前記セグメントコイルの端部を嵌合することで、複数の前記セグメントコイルを連結する、ことを特徴とする。
【００２８】
かかる構成とした場合、セグメントコイルの端部を嵌合凹部に圧入するだけでセグメントコイルを連結できる。換言すれば、セグメントコイルの連結にあたって、溶接や圧接等の処理が不要となる。その結果、大型の設備が不要であり、製造工程をより簡易化できる。
【００２９】
前記連結部材は、前記連結ステップの前に、その外周面が絶縁処理されていてもよい。
【００３０】
かかる構成とすれば、セグメントコイルを連結した後、セグメントコイルの剥離部の絶縁処理が不要となり、ステータコイルの製造工程をより簡易化できる。
【００３１】
さらに、前記連結ステップでは、予め最終形状に成形された第一セグメントコイルを、前記ステータコアに組みつけた後に、前記連結部材を介して、予め最終形状に成形された第二セグメントコイルを前記第一セグメントコイルに連結してもよい。
【００３２】
ステータコアに組み付ける前に、第一セグメントコイルを最終形状に成形しておくことで、コア組み付け後の曲げ工程を無くすことができ、ステータコイルの製造工程をより簡易化できる。
【００３３】
この場合、前記第一セグメントコイルは、前記ステータコアのスロットに収容される縦線部を有しており、前記第二セグメントコイルは、前記ステータコアの軸方向外側で周方向に延びてコイルエンドを構成し、前記連結ステップでは、複数の第一セグメントコイルを前記ステータコアに組み付けた後に、樹脂で一体化された複数の第二セグメントコイルを、一括で、対応する前記第一セグメントコイルに前記連結部材を介して連結してもよい。
【００３４】
かかる構成とすることで、複数の第二セグメントコイルを一括で連結できるため、製造工程をより簡易化できる。
【００３５】
また、前記第一セグメントコイルと前記連結部材との嵌合は、前記第一セグメントコイルを前記ステータコアに組み付けた後に行ってもよい。
【００３６】
コア組み付け前に、第一セグメントコイルと連結部材とを嵌合させると、嵌合時に受ける軸方向圧縮力で第一セグメントコイルが局所的に太り、線積率が低下するが、コア組み付け後に両者を嵌合することで、こうした問題を避けることができる。
【発明の効果】
【００３７】
本明細書で開示のステータ、および、ステータコイルの製造方法によれば、セグメントコイルの端部を嵌合凹部に圧入するだけでセグメントコイルを連結できる。換言すれば、セグメントコイルの連結にあたって、溶接や圧接等の処理が不要となる。その結果、大型の設備が不要であり、製造工程をより簡易化できる。
【図面の簡単な説明】
【００３８】
【図１】ステータの分解斜視図である。
【図２】第一セグメントコイルの正面図である。
【図３】第二セグメントコイルの正面図である。
【図４】連結部材の斜視図である。
【図５】連結部材周辺の断面図である。
【図６】スロット内の様子を示すイメージ図である。
【図７】ステータコイルの製造の流れを示すフローチャートである。
【図８】第二セグメントコイルの連結の様子を示すイメージ図である。
【図９】他の連結部材の一例を示す図である。
【図１０】他の連結部材の一例を示す図である。
【図１１】他の連結部材の一例を示す図である。
【図１２】他の連結部材の一例を示す図である。
【図１３】セグメントコイルの形状の一例を示す図である。
【図１４】従来のステータコイルの製造手順を説明する図である。
【発明を実施するための形態】
【００３９】
以下、回転電機のステータ１０について、図面を参照して説明する。図１は、回転電機のステータ１０の分解斜視図である。なお、実際のステータ１０は、多数のセグメントコイル２２を有しているが、図１では、見易さのために、ごく一部のセグメントコイル２２のみを図示している。
【００４０】
このステータ１０は、ロータと組み合わされて回転電機を構成する。ステータ１０が適用される回転電機は、電動機として用いられるものでもよいし、発電機として用いられるものでもよい。したがって、本例のステータ１０は、例えば、電動車両に搭載される回転電機であって、走行用動力を生成する電動機として機能するとともに、回生トルク等で発電を行う発電機としても機能する回転電機に適用されてもよい。
【００４１】
ステータ１０は、ステータコア１２と、当該ステータコア１２に巻回されるステータコイル２０と、を有している。ステータコア１２は、略円環状のコアバック１４と、当該コアバック１４の内周面から径方向内側に突出する複数のティース１６と、に大別される。周方向に隣接するティース１６間には、ステータコア１２の一部が収容される空間であるスロット１８が形成されている。かかるステータコア１２は、例えば、複数の電磁鋼板（例えばケイ素鋼板）を厚み方向に積層して作成される積層鋼板であってもよい。また、ステータコア１２は、絶縁被覆された磁性粒子をプレス成形してなる圧粉磁芯であってもよい。
【００４２】
ステータコイル２０は、ステータコア１２のティース１６に巻回される。かかるステータコイル２０の結線態様および巻回態様は、回転電機の仕様に応じて、適宜、選択されればよい。したがって、ステータコイル２０は、Ｕ相、Ｖ相、Ｗ相のコイルをスター結線またはデルタ結線した構成でもよい。また、ステータコイル２０は、分布巻で巻回されてもよいし、集中巻で巻回されてもよい。いずれにしても、本例において、ステータコイル２０は、複数のセグメントコイル２２を連結して構成される。
【００４３】
セグメントコイル２２は、ステータコイル２０を、取り扱いやすい長さで切断したものである。本例では、セグメントコイル２２として、略Ｕ字状の第一セグメントコイル２２ａと、略山形状の第二セグメントコイル２２ｂと、を設けている。なお、以下では、第一、第二を区別しない場合は、添え字アルファベットを省略して「セグメントコイル２２」と呼ぶ。
【００４４】
図２は、第一セグメントコイル２２ａの正面図である。第一セグメントコイル２２ａは、導電性材料（例えば銅等）からなる導線３２を、絶縁材料からなるコイル皮膜３４（墨ハッチングで図示）で被覆したものである。導線３２は、断面形状略矩形の角線である。このように導線３２を角線とするのは、スロット１８内における線積率を向上するためである。
【００４５】
また、第一セグメントコイル２２ａは、ステータ完成時と同じ形状、すなわち、最終形状に屈曲、成形されている。具体的には、第一セグメントコイル２２ａは、スロット１８内に収容される一対の縦線部２８と、この一対の縦線部２８を接続する接続部２７と、を有した略Ｕ字状となっている。縦線部２８の長さは、ステータコア１２の軸方向寸法とほぼ同じである。そのため、当該縦線部２８をスロット１８内に挿入した際、当該縦線部２８の末端がスロット１８の軸方向端部近傍に位置するようになっている。接続部２７は、ステータコア１２の軸方向外側において、周方向に延びて、コイルエンドの一部を構成する。この第一セグメントコイル２２ａの両端、すなわち、縦線部２８の末端には、コイル皮膜３４が剥離され、導線３２が外部に露出した剥離部３０が形成されている。剥離部３０（導線３２）の先端は、先細り状のテーパー形状となっている。
【００４６】
図３は、第二セグメントコイル２２ｂの正面図である。第二セグメントコイル２２ｂも、導電性材料（例えば銅等）からなる導線３２を、コイル皮膜で被覆したものである。この第二セグメントコイル２２ｂも、最終形状に形成されている。そして、第二セグメントコイル２２ｂは、接続部２７とは逆側のステータコア１２の軸方向外側において、周方向に延びて、コイルエンドの一部を構成する。この第二セグメントコイル２２ｂの両端にも、コイル皮膜３４が剥離され、導線３２が外部に露出した剥離部３０が形成されている。また、剥離部３０（導線３２）の先端も、先細り状のテーパー形状となっている。
【００４７】
ここで、図３から明らかなとおり、この第二セグメントコイル２２ｂに用いられる導線３２は、断面円形の丸線となっている。このように第二セグメントコイル２２ｂの導線３２を丸線とするのは、第二セグメントコイル２２ｂの曲げ加工を容易にするためである。すなわち、第二セグメントコイル２２ｂは、第一セグメントコイル２２ａに比べて、ステータ１０の周方向だけではなく、ステータ１０の径方向にも屈曲または湾曲させる必要がある。そのため、第二セグメントコイルは、第一セグメントコイル２２ａよりも柔軟に曲げられることが望まれる。そして、丸線は、角線に比べて、いずれの方向にも曲げやすいため、本例では、第二セグメントコイル２２ｂを丸線としている。
【００４８】
なお、第一、第二セグメントコイル２２ａ，２２ｂの導線３２だけでなく、コイル皮膜３４も、互いに異なっていてもよい。例えば、第二セグメントコイル２２ｂの導線３２を、曲げやすい丸線とした場合、曲げ加工時におけるコイル皮膜３４のダメージを軽減できる。そのため、第二セグメントコイル２２ｂのコイル皮膜３４を、第一セグメントコイル２２ａのコイル皮膜３４に比べて、薄くしてもよい。
【００４９】
この第一セグメントコイル２２ａと第二セグメントコイル２２ｂは、連結部材２４を介して互いに連結される。図４は、連結部材２４の斜視図である。また、図５は、連結部材２４周辺の概略断面図である。連結部材２４は、二つのセグメントコイル２２を連結する。この連結部材２４は、その軸方向に貫通する貫通孔が形成された筒状となっている。そのため、連結部材２４の両端には、凹部が存在することとなる。この凹部は、セグメントコイル２２の端部（剥離部３０）が嵌合される嵌合凹部３６なる。以下では、第一セグメントコイル２２ａが嵌合される凹部を第一嵌合凹部３６ａ、第二セグメントコイル２２ｂが嵌合される凹部を第二嵌合凹部３６ｂと呼ぶ。また、第一と第二を区別しない場合は、添え字アルファベットを省略して「嵌合凹部３６」と呼ぶ。
【００５０】
嵌合凹部３６の内周距離は、嵌合されるセグメントコイル２２の外周距離と同じか、僅かに小さくなっている。したがって、本例において、嵌合凹部３６は、断面円形であるが、この嵌合凹部３６の半径は、第二セグメントコイル２２ｂの導線３２の半径と同じか、僅かに小さい。また、第一セグメントコイル２２ａの導線３２の外周距離をＤとした場合、嵌合凹部３６の半径は、Ｄ／２π、あるいは、Ｄ／２πより僅かに小さい。かかる構成とすることで、各嵌合凹部３６とセグメントコイル２２とを確実に、また、強固に嵌合できる。なお、第一嵌合凹部３６ａは、第一セグメントコイル２２ａの導線３２（角線）が嵌合されると、当該導線３２の形状に合わせて断面矩形に変形し、当該導線３２の外面に密着する。
【００５１】
本例の連結部材２４は、導電材料からなるとともに筒状の本体３８と、当該本体３８の外周面を被覆する絶縁皮膜４０と、を備えている。筒状の本体３８の内周面は、嵌合されたセグメントコイル２２と密着する。換言すれば、本体３８は、セグメントコイル２２と嵌合されることで、電気的に接続され、ステータコイル２０の電流経路の一部、すなわち、ステータコイルの一部として機能する。また、本体３８の外周面は、予め、絶縁皮膜４０で被覆されているため、コイル間の絶縁を容易に確保できる。
【００５２】
なお、本体３８は、電流経路の一部として機能するため、ステータコイル２０に電流が流れる際、当該ステータコイル２０とともに発熱する。この発熱を受けて本体３８は熱膨張するが、このとき、当該本体３８と、セグメントコイル２２の導線３２との嵌合が緩まないように、本体３８は、膨張係数が、セグメントコイル２２の導線３２と同じか小さい材質で構成されることが望ましい。したがって、本体３８は、例えば、導線３２と同じ材質（例えば銅）から構成されてもよい。
【００５３】
図５に示す通り、第一セグメントコイル２２ａは、この連結部材２４の一端（第一嵌合凹部３６ａ）に嵌合され、第二セグメントコイル２２ｂは、連結部材２４の他端（第二嵌合凹部３６ｂ）に嵌合される。このとき、第一、第二セグメントコイル２２ａ，２２ｂは、連結部材２４の内部において、互いに当接してもよいし、図５に示すように、離間していてもよい。すなわち、第一、第二セグメントコイル２２ａ，２２ｂが離間していても、導電性材料からなる本体３８により、二つのセグメントコイル２２の電気的接続は確保される。なお、連結部材２４の内部であって、第一、第二セグメントコイル２２ａ，２２ｂの間に、導電性ペースト（例えば金属ペースト）が充填されてもよい。かかる導電性ペーストを設けることで、当該連結部における電気抵抗を低減でき、また、熱伝導率を向上できる。
【００５４】
ここで、このように複数のセグメントコイル２２を、連結部材２４を利用して連結することで、従来技術に比べて、ステータ１０の製造工程をより簡易化できる。これについて、従来技術と比較して説明する。
【００５５】
従来でも、複数のセグメントコイル２２を連結して、ステータコイル２０を形成する技術が知られている。ただし、従来は、セグメントコイル２２を、ステータコア１２に組み付けた後、屈曲し、他のセグメントコイル２２と溶接していた。図１４は、従来のステータコイル２０の製造の様子を示す図である。図１４（ａ）に示す通り、従来は、まず、略Ｕ字状で両端に剥離部３０が形成されたセグメントコイル２２を、スロット１８に挿入する。続いて、図１４（ｂ）に示すように、ステータコア１２の軸方向端面から突出したセグメントコイル２２を、周方向に屈曲させた後、対応する他のセグメントコイル２２（図示例では径方向に隣接する他のセグメントコイル２２）の端部と接触させ、溶接する。そして、最後に、剥離部３０に絶縁処理、例えば、絶縁塗料の塗布などを行う。
【００５６】
かかる従来技術の場合、セグメントコイル２２をステータコア１２に組み付けた後に、当該セグメントコイル２２の曲げ加工や溶接加工、絶縁処理を行っている。しかし、ステータコア１２に組み付けた後、セグメントコイル２２の周辺には、十分なスペースがないため、こうした加工・処理を行うのは、手間であった。
【００５７】
また、狭いスペースでセグメントコイル２２を曲げるため、セグメントコイル２２のコイル皮膜３４にダメージが加わりやすく、絶縁性が低下することがあった。また、セグメントコイル２２を連結するために、溶接加工を行っているが、この溶接時の熱で、コイル皮膜３４にダメージが加わるおそれがあった。かかるコイル皮膜３４のダメージを防止するためには、コイルエンドを高くする必要があるが、これは、ステータ１０の小型化を阻害する。
【００５８】
そこで、一部では、セグメントコイル２２を、予め、最終形状に成形しておき、このセグメントコイル２２の端部を互いに突き当てて、接合する技術が開示されている（例えば特許文献１など）。この技術の場合、ステータコア１２にセグメントコイル２２を組み付けた後、当該セグメントコイル２２を曲げる必要がないため、曲げ加工に伴うコイル皮膜３４の劣化を防止できる。また、コア組み付け後の曲げ加工が不要となるため、製造工程をある程度は、簡易化できる。しかし、この技術の場合、セグメントコイル２２のコイル軸方向の端面同士を当接させるため、セグメントコイル２２のコイル軸方向の寸法精度を高く管理する必要があり、製造工程の煩雑化や、コスト増加を招いていた。また、この技術でも、接合後に、剥離部３０の絶縁処理が必要であった。さらに、この技術では、セグメントコイル２２を、圧接や超音波接合、カシメにより接合しているが、かかる接合を行うためには、専用の設備が必要であり、設備コストの増加を招いていた。
【００５９】
一方、本明細書で開示するステータコイル２０は、上述したとおり、連結部材２４の両端（嵌合凹部３６）に、セグメントコイル２２を嵌合することで、複数のセグメントコイル２２を連結している。嵌合処理の場合、熱が発生しないため、本例によれば、溶接や接合を用いた従来技術と異なり、熱に起因するコイル皮膜３４の劣化をほぼ確実に防止できる。また、本例の場合、セグメントコイル２２の導線３２を連結部材２４の嵌合凹部３６に圧入するだけでよいため、溶接や圧接、超音波接合等を用いた従来技術に比べて、製造設備を簡易化できる。
【００６０】
また、本例では、連結部材２４の本体３８が、ステータコイル２０の電流経路の一部を構成するため、セグメントコイル２２同士が直接、接触しなくてもよい。その結果、本例は、従来技術に比べて、セグメントコイル２２のコイル軸方向寸法の許容誤差を大きくできる。すなわち、本例によれば、セグメントコイル２２のコイル軸方向寸法の誤差は、連結部材２４の内部におけるコイル端面間距離で吸収できる。
【００６１】
さらに、本例において、連結部材２４の外周面は、予め、絶縁されており、この連結部材２４で、剥離部３０のほぼ全体を覆うため、セグメントコイル２２を連結した後、別途、絶縁処理を行う必要がない。ただし、図５に示す通り、連結部材２４の端部と、コイル皮膜３４の端部との間に、若干の隙間が生じるおそれはある。かかる隙間においては、セグメントコイル２２の導線３２が外部に露出する。こうした導線３２の露出部分４１が、他の導線３２の露出部分４１と近接することを防止するために、本例では、コイル径方向に隣接する連結部材２４のコイル軸方向位置をずらしている。
【００６２】
これについて図６を参照して説明する。図６は、スロット１８内のイメージ図であり、図６において、紙面左右方向がステータ径方向（コイル径方向）、紙面上下方向がステータ軸方向である。図６に示す通り、本例では、連結部材２４（セグメントコイル２２同士の連結箇所）のコイル軸方向位置を、コイル径方向に隣接する他の連結部材２４と、ずらしている。かかる構成とすることで、導線３２の露出部分４１同士の距離Ｋが長くなり、コイル間の絶縁がより確実に確保できる。
【００６３】
次に、こうしたステータコイル２０の製造の流れについて図７を参照して説明する。図７は、ステータコイル２０の製造の流れを示すフローチャートである。ステータコイル２０を製造する際には、まず、セグメントコイル２２を製造する。具体的には、長尺なコイル材料を、所望の長さに切断する（Ｓ１０）。コイル材料は、セグメントコイル２２の材料となるもので、長尺な導線３２をコイル皮膜３４で被覆したものである。本例では、２種類のコイル材料、すなわち、断面矩形の角線を使用したコイル材料と、断面円形の丸線を使用したコイル材料とを準備する。各コイル材料は、専用の刃物を用いて、所望の切断形状が得られるように切断される。本例では、端部が、先細りのテーパー形状となるように、コイル材料を切断する。
【００６４】
続いて、各セグメントコイル２２の端部においてコイル皮膜３４を剥離して、剥離部３０を形成する（Ｓ１２）。この剥離部３０は、例えば、レーザ等を用いて、コイル皮膜３４を切断することで形成される。
【００６５】
続いて、セグメントコイル２２を、屈曲または湾曲させて、所望の形状に成形する（Ｓ１４）。この成形は、例えば、セグメントコイル２２を専用の金型に押しつけたり、専用のローラで曲げたりして行われる。また、この成形において、各セグメントコイル２２は、最終形状に成形される。換言すれば、コア組み付け後に、各セグメントコイル２２に曲げ加工は、施されない。したがって、本例において、第一セグメントコイル２２ａは、略Ｕ字状に、第二セグメントコイル２２ｂは、略山形に成形される。
【００６６】
セグメントコイル２２を所望形状に成形できれば、略Ｕ字状の第一セグメントコイル２２ａをステータコア１２に組み付ける（Ｓ１６）。すなわち、第一セグメントコイル２２ａの縦線部２８を、スロット１８内に挿入する。ステータコア１２に組みつけられた第一セグメントコイル２２ａは、その組み付け状態を維持するように、専用の治具で保持される。
【００６７】
複数の第一セグメントコイル２２ａを、コアに組み付けできれば、続いて、この第一セグメントコイル２２ａの剥離部３０に連結部材２４を嵌合する（Ｓ１８）。すなわち、第一嵌合凹部３６ａに、第一セグメントコイル２２ａの剥離部３０を圧入する。このとき、剥離部３０の先端は、先細りのテーパー形状となっているため、剥離部３０が、第一嵌合凹部３６ａに容易に誘いこまれやすく、両者を容易に連結できる。そして、これにより、連結部材２４もステータコア１２に組みつけられることになる。
【００６８】
そして、最後に、コアに組み付けされた連結部材２４の第二嵌合凹部３６ｂに、第二セグメントコイル２２ｂの剥離部３０を圧入して嵌合する（Ｓ２０）。第二セグメントコイル２２ｂの剥離部３０先端も、先細りのテーパー形状となっているため、当該剥離部３０が、第二嵌合凹部３６ｂに容易に誘いこまれやすく、両者を容易に連結できる。これにより、第一セグメントコイル２２ａと第二セグメントコイル２２ｂが、連結部材２４を介して、機械的かつ電気的に連結される。そして、こうした連結を全ての第一、第二セグメントコイル２２ａ，２２ｂにおいて行うことで、ステータコイル２０が完成される。
【００６９】
以上の説明から明らかなとおり、本例によれば、嵌合という簡易な処理で、セグメントコイル２２同士を連結しているため、溶接や圧接を用いる従来技術に比べて、設備コストを低減できる。また、嵌合の場合、熱が生じないため、コイル皮膜３４の劣化をより確実に防止できる。さらに、予め、絶縁皮膜４０で被覆された連結部材２４を用いるため、セグメントコイル２２同士を連結した後の絶縁処理が不要であり、製造工程をより簡易化できる。さらに、コア組み付け後のセグメントコイル２２の曲げ加工が不要であるため、製造工程を簡易化でき、また、コイル皮膜３４の劣化を防止できる。
【００７０】
なお、上述した製造手順は、一例であり、少なくとも、第一、第二セグメントコイル２２ａ，２２ｂを、連結部材２４の嵌合凹部３６に嵌合することで、両コイルを連結するのであれば、適宜、変更されてもよい。したがって、例えば、ステップＳ１８とステップＳ２０は、逆になってもよい。すなわち、第二セグメントコイル２２ｂに連結部材２４を嵌合した後、この連結部材２４に、第一セグメントコイル２２ａを嵌合するようにしてもよい。また、第一セグメントコイル２２ａをコアに組み付ける前に、当該第一セグメントコイル２２ａに連結部材２４を嵌合してもよい。すなわち、ステップＳ１６とステップＳ１８とを逆にしてもよい。ただし、コア組み付け前に、第一セグメントコイル２２ａに連結部材２４を嵌合した場合、嵌合時に生じる軸方向圧縮力により、第一セグメントコイル２２ａが局所的に太るおそれがある。第一セグメントコイル２２ａが局所的に太ると、スロット１８内における線積率が低下する。したがって、第一セグメントコイル２２ａと連結部材２４との嵌合は、第一セグメントコイル２２ａのコア組み付けの後に行うのが望ましい。
【００７１】
また、複数の第二セグメントコイル２２ｂを一括で、対応する第一セグメントコイル２２ａに連結するようにしてもよい。これについて、図８を参照して説明する。図８は、ステータコアを径方向内側から見た模式図である。図８において、紙面左右は、ステータ周方向であり、紙面上下は、ステータ軸方向である。図８に示すように、複数の第二セグメントコイル２２ｂを、樹脂モールド５０で、連結し、一体化しておいてもよい。そして、この一体化された部品（複数の第二セグメントコイル２２ｂ）を、複数の連結部材に、一括で、嵌合してもよい。かかる構成とすることで、セグメントコイル２２の連結作業をより簡易化できる。この場合、ステータコイル２０の軸方向一端には、複数の第二セグメントコイル２２ｂを連結する樹脂モールド５０が残る。
【００７２】
また、これまでの説明では、連結部材２４の本体３８を、導電性材料で構成するとしていたが、連結部材２４の本体３８は、絶縁材料で構成されてもよい。したがって、例えば、連結部材２４の本体３８は、絶縁性材料からなる筒体としてもよい。図９は、本体３８を絶縁材料で構成した例を示す図である。この場合、連結部材２４の内部で、第一セグメントコイル２２ａと第二セグメントコイル２２ｂとを当接させ、これにより電流経路を確保してもよい。なお、この場合、連結部材２４は、熱膨張率が、セグメントコイル２２の導線３２と同じ、または、より小さい絶縁材料（例えばガラスやセラミックス）で構成されることが望ましい。
【００７３】
また、連結部材２４の本体３８を絶縁材料で構成する場合、当該本体３８の内部に、第一、第二セグメントコイル２２ａ，２２ｂに当接する導電体を設けてもよい。かかる導電体は、導電性を有するのであれば特に限定されないが、望ましくは、弾性または流動性を有し、コイル軸方向の寸法が変更可能である。したがって、例えば、導電体４２は、図１０に示す通り、第一、第二セグメントコイル２２ａ，２２ｂの間に充填された後、焼結される導電性ペースト（例えば金属ペースト）であってもよい。この場合、導電性ペースト（導電体４２）が、第一、第二セグメントコイル２２ａ，２２ｂの先端面（テーパー面含む）全体に接触する。そして、この場合、導電体４２とセグメントコイル２２ａ，２２ｂとの接触面積は十分に大きくなり、電気抵抗が低減するとともに、熱伝導率が向上する。また、別の形態として、導電体４２は、図１１に示すように、コイル軸方向に伸縮可能なバネを含んでもよい。いずれにしても、絶縁性の本体３８の内部に、コイル軸方向に変形可能な導電体４２を設けることで、セグメントコイル２２のコイル軸方向の寸法誤差を吸収できる。
【００７４】
また、これまでの説明では、連結部材２４を、貫通孔が形成された筒体としているが、連結部材２４は、その両端に嵌合凹部３６が形成されるのであれば、筒体でなくてもよい。例えば、図１２に示すように、軸方向端面に、穴（凹部）が形成された非筒体でもよい。換言すれば、第一嵌合凹部３６ａと第二嵌合凹部３６ｂは、連通していなくてもよい。そして、この場合、第一嵌合凹部３６ａと第二嵌合凹部３６ｂは、互いに異なる形状としてもよい。したがって、例えば、第一嵌合凹部３６ａは、第一セグメントコイル２２ａの導線３２に合わせた略矩形とし、第二嵌合凹部３６ｂは第二セグメントコイル２２ｂの導線３２に合わせた略円形としてもよい。
【００７５】
また、これまでの説明では、第一セグメントコイル２２ａを略Ｕ字状、第二セグメントコイル２２ｂを略山形としているが、これらセグメントコイル２２の形状は、適宜、変更されてもよい。図１３は、セグメントコイル２２の形状のバリエーションを示す図である。図１３（ａ）に示す通り、第一セグメントコイル２２ａを、スロット１８に収容される部分だけを有する一直線状とし、この第一セグメントコイル２２ａの両側に、略山形の第二セグメントコイル２２ｂを連結する構成としてもよい。かかる構成とした場合、ステータコイル２０のうちスロット内に収容される部分は、角線で形成でき、コイルエンドとなる部分は、丸線で形成できる。その結果、スロット１８内における線積率を向上しつつ、コイルエンド部を容易に成形（曲げ加工）できる。
【００７６】
また、別の形態として図１３（ｂ）に示すように、全てのセグメントコイル２２を略Ｕ字状としてもよい。かかる構成とした場合、各セグメントコイル２２は、スロット１８内で、連結部材２４に嵌合されることになる。この場合、当該嵌合作業を容易にするために、ステータコア１２は、軸方向に２分割された分割コアとすることが望ましい。また、別の形態として、図１３（ｃ）に示すように、セグメントコイル２２を、コイルエンドとなる略山形の横線部２６の一端に、スロット１８内に収容される縦線部２８が繋がった略Ｊ字状としてもよい。
【００７７】
さらに、これまで説明したセグメントコイル２２は、いずれも、スロット１８の内部またはスロット１８の軸方向端部近傍において、連結されている。換言すれば、セグメントコイル２２のうちコイルエンドに対応する部分は、ステータコア１２の軸方向外側において、一つのスロット１８から他のスロット１８まで途中で途切れることなく延びている。かかる構成とすることで、コイルエンド高さを低減でき、ステータ１０を小型化できる。
【００７８】
しかし、場合によっては、図１３（ｄ）に示すように、セグメントコイル２２同士の連結を、コイルエンドの途中で行ってもよい。かかる構成とした場合、コイルエンドの途中に、中空の連結部材２４が存在することになり、コイルエンドの放熱性が向上する。
【００７９】
また、これまでの説明では、第一セグメントコイル２２ａと第二セグメントコイル２２ｂとで、導線３２の形状を変えているが、両コイル２２ａ，２２ｂの導線形状は同じでもよい。導線形状を揃えることで、コイル材料を共通化でき、材料費を低減できる。また、本例では、セグメントコイル２２（剥離部３０）の先端に、嵌合凹部３６を誘い込むテーパーを設けているが、セグメントコイル２２に替えて、または、加えて、嵌合凹部３６に、セグメントコイル２２を誘い込むテーパーを設けてよい。
【符号の説明】
【００８０】
１０  ステータ、１２  ステータコア、１４  コアバック、１６  ティース、１８  スロット、２０  ステータコイル、２２  セグメントコイル、２４  連結部材、３０  剥離部、３２  導線、３４  コイル皮膜、３６  嵌合凹部、３８  本体、４０  絶縁皮膜、４２  導電体、５０  樹脂モールド。
【図１】
2019126153.tif 000003
【図２】
2019126153.tif 000004
【図３】
2019126153.tif 000005
【図４】
2019126153.tif 000006
【図５】
2019126153.tif 000007
【図６】
2019126153.tif 000008
【図７】
2019126153.tif 000009
【図８】
2019126153.tif 000010
【図９】
2019126153.tif 000011
【図１０】
2019126153.tif 000012
【図１１】
2019126153.tif 000013
【図１２】
2019126153.tif 000014
【図１３】
2019126153.tif 000015
【図１４】
2019126153.tif 000016